(57)【要約】【課題】  強度を高めた固体撮像装置を提供する。【解決手段】  レンズ１１３を保持したレンズホルダ１１２に永久磁石１０２を取り付けるために、マグネットホルダ１１５の第１の載置面１１に永久磁石１０２を固定した第１の接続部と、リング状の永久磁石１０２の内側に嵌め込んだリング部材１２１を、第２の載置面１２に固定して永久磁石１０２とマグネットホルダ１１５とを接続した第２の接続部とを設けている。リング状の永久磁石１０２の内側に嵌め込まれたリング部材１２１を第２の載置面１２に固定してリング部材１２１を支持することで、接続のためのスペースを取らずに永久磁石１０２をマグネットホルダ１１５に固定することができる。【選択図】        図６
2005148535.tif 000002
【特許請求の範囲】
【請求項１】
電磁石への通電に応じて、永久磁石を第１の位置と該第１の位置からレンズの光軸方向に所定の距離だけ離れた第２の位置に駆動することにより、前記レンズを保持するレンズホルダを駆動する固体撮像装置であって、
第１の載置面と第２の載置面とを具備し前記レンズホルダに固定された保持部材を有し、
前記第１の載置面に前記永久磁石を固定した第１の接続部と、
前記永久磁石の内側に当接した抑え部材を、前記第２の載置面に固定して前記永久磁石と前記保持部材とを接続した第２の接続部と、を有することを特徴とする固体撮像装置。
【請求項２】
前記第１の接続部は、前記第１の載置面に固定された前記永久磁石を、前記第２の載置面に固定された前記抑え部材と前記保持部材とで挟持することを特徴とする請求項１記載の固体撮像装置。
【請求項３】
前記抑え部材は、磁性体からなることを特徴とする請求項１または２記載の固体撮像装置。
【請求項４】
前記永久磁石を保持する前記保持部材が、透明材料からなることを特徴とする請求項１から３のいずれか一項に記載の固体撮像装置。
【請求項５】
前記保持部材の前記永久磁石を載置する前記第１の載置面及び前記保持部材の前記抑え部材を載置する第２の載置面に接着剤を溜める凹部を設けたことを特徴する請求項１から４のいずれか一項に記載の固体撮像装置。
【請求項６】
前記永久磁石は、プラスチックマグネットからなることを特徴とする請求項１から５のいずれか一項に記載の固体撮像装置。
【発明の詳細な説明】
【技術分野】
【０００１】
本発明は、撮像素子を用いて被写体を撮像する固体撮像装置に関し、特にマクロ撮像も可能な固体撮像装置に関する。
【背景技術】
【０００２】
従来から、光学レンズによって被写体像をＣＣＤ（電荷結合デバイス）等を備えた撮像素子に結像させる、いわゆるデジタルカメラが広く使用されている。このデジタルカメラは種々のタイプのものが提案されているが、被写体と数十センチメートル以内に近接して撮像する、いわゆるマクロ撮像が容易にできれば、利用価値が高い。マクロ撮像を行うためには、数メートル以上離れた被写体を撮像する場合と、レンズの焦点位置を変更する必要がある。
【０００３】
ところでレンズの焦点位置を変更する手段としては、従来からネジ機構を用いて、手動あるいは電動によってレンズホルダを光軸方向に移動させるものが広く使用されている。このような手段は機構が複雑となり、消費電力も多くかつ騒音も高いため、これに替わる手段として電磁石を用いてレンズ位置を調整する手段が提案されている（例えば特許文献１参照）。この特許文献１に開示されている手段を図１２に示す。
【０００４】
すなわちこのレンズの駆動装置は、それぞれコの字断面形状を有するリング状のレンズ枠１と、このコの字断面の凹溝に係合するヨーク２とを有しており、レンズ枠１にはコイル（電磁石）３が配置され、コイル３に対向するようにヨーク２には（永久）磁石４が固定してある。そしてコイル３に電流を流すことによってレンズ枠１を光軸方向へ移動可能としている。
【０００５】
【特許文献１】特開平５‐３４５６２号公報（２‐３頁、第１図）
【発明の開示】
【発明が解決しようとする課題】
【０００６】
しかし、上記手段を用いてレンズ位置を通常撮像位置とマクロ撮像位置とに切り換える場合には次の問題があった。すなわちレンズ枠１は、コイル３に電流を流すことによって移動させるとのみ記載されており、どのようにして所定のズーム位置あるいは焦点位置にレンズ枠を正確に停止させるのかは記載されておらず、不明である。また、所定のズーム位置あるいは焦点位置にレンズ枠１を正確に保持するためには、コイル３に電流を流したままにしておき、磁力を保持しておく必要がある。したがって上記手段では、レンズ枠１をマクロ撮像位置または通常撮像位置に正確に止めることができず、かつこれらの位置に保持するためには、コイル３に電流を流しておく必要があり電力の消費が大きくなる。
【０００７】
このような課題を解決することを目的として、本出願人は特願２００３−１８２０１８号の固体撮像装置を提案しているが、さらなる改良の余地がある。特に、電磁力によって固体撮像装置のレンズ位置を変更するための電磁駆動手段は、レンズを保持するレンズホルダにも取り付けられるため、レンズホルダの移動に伴って衝撃を受けることになる。また、固体撮像装置の携帯電話への適用を考えた場合、携帯電話は落下などによって強い衝撃を受けることが多いため、固体撮像装置の耐衝撃性を高める工夫がさらに必要となる。
【０００８】
本発明は上記事情に鑑みてなされたものであり、耐衝撃性を高めた固体撮像装置を提供することを目的とする。
【課題を解決するための手段】
【０００９】
かかる目的を達成するために請求項１記載の固体撮像装置は、電磁石への通電に応じて、永久磁石を第１の位置と該第１の位置からレンズの光軸方向に所定の距離だけ離れた第２の位置に駆動することにより、前記レンズを保持するレンズホルダを駆動する固体撮像装置であって、第１の載置面と第２の載置面とを具備し前記レンズホルダに固定された保持部材を有し、前記第１の載置面に前記永久磁石を固定した第１の接続部と、前記永久磁石の内側に当接した抑え部材を、前記第２の載置面に固定して前記永久磁石と前記保持部材とを接続した第２の接続部と、を有することを特徴としている。
【００１０】
請求項１記載の発明は、レンズを保持したレンズホルダに保持部材を介して永久磁石を取り付けるために、保持部材の第１の載置面に永久磁石を固定した第１の接続部と、永久磁石の内側に当接した抑え部材を第２の載置面に固定して永久磁石と保持部材とを接続した第２の接続部とを設けている。永久磁石を保持部材に確実に固定するためには、永久磁石と保持部材とを接続する接続部を複数設ければよいが、固体撮像装置の場合、接続のための部材を配置するスペースをいかに確保するかが問題となる。そこで、永久磁石の内側に当接した抑え部材を第２の載置面に固定して抑え部材を支持することで、接続のためのスペースを広く取らずに永久磁石を保持部材に固定することができ、落下等による衝撃によって永久磁石が外れることを防止できる。
【００１１】
請求項２記載の固体撮像装置は、請求項１記載の固体撮像装置において、前記第１の接続部は、前記第１の載置面に固定された前記永久磁石を、前記第２の載置面に固定された前記抑え部材と前記保持部材とで挟持することを特徴としている。
【００１２】
請求項２記載の発明は、第１の載置面に固定された永久磁石を、第２の載置面に固定された抑え部材と保持部材とで挟持している。保持部材に固定される永久磁石の取り付け位置でレンズの焦点位置が決まってしまうので、永久磁石の取り付け位置にずれが生じると焦点位置にずれが生じることになる。そこで、保持部材と保持部材に接続された抑え部材とで永久磁石を挟持することによって永久磁石を保持部材に確実に固定することができる。
【００１３】
請求項３記載の固体撮像装置は、請求項１または２記載の固体撮像装置において、前記抑え部材は、磁性体からなることを特徴としている。
【００１４】
請求項３記載の発明は、抑え部材が磁性体からなることを特徴としている。従って、永久磁石の内側に閉磁路が形成され、永久磁石の内側での磁束の漏れを防止している。従って、電磁石からの磁力によって永久磁石をより確実に第１の位置と第２の位置とに移動させることが可能となる。
【００１５】
請求項４記載の固体撮像装置は、請求項１から３のいずれか一項に記載の固体撮像装置において、前記永久磁石を保持する前記保持部材が、透明材料からなることを特徴としている。
【００１６】
請求項４記載の発明は、永久磁石を保持する保持部材が、透明材料からなることを特徴としている。従って、永久磁石の保持部材への接着に紫外線硬化型の接着剤を用いた場合、接着面に塗布された紫外線硬化型の接着剤に複数の方向から光を照射することができ、保持部材と永久磁石との接着を確実にすることができる。
【００１７】
請求項５記載の固体撮像装置は、請求項１から４のいずれか一項に記載の固体撮像装置において、前記保持部材の前記永久磁石を載置する前記第１の載置面及び前記保持部材の前記抑え部材を載置する第２の載置面に接着剤を溜める凹部を設けたことを特徴している。
【００１８】
請求項５記載の発明は、第１の載置面と第２の載置面とに接着剤を溜める凹部を設けている。従って、抑え部材と永久磁石との保持部材への接着強度を高めることができる。特に、抑え部材を保持部材に確実に接着することで、レンズホルダの移動で永久磁石の接着が外れてしまっても、抑え部材によって永久磁石をより確実に抑えることができる。
【００１９】
請求項６記載の固体撮像装置は、請求項１から５のいずれか一項に記載の固体撮像装置において、前記永久磁石がプラスチックマグネットからなることを特徴としている。
【００２０】
請求項６記載の発明は、永久磁石としてプラスチックマグネットを使用している。プラスチックマグネットは、バインダに例えばナイロンを使用しているため他の部材への接着性が低い。このため、第１の載置面に固定されたプラスチックマグネットを、第２の載置面に固定された抑え部材と保持部材とで挟持する構成を採用することで、プラスチックマグネットを保持部材に固定することができ、レンズの焦点位置にずれを生じることがない。
【発明の効果】
【００２１】
本発明は、レンズホルダを電磁力で駆動するための永久磁石のレンズホルダへの接続性を高めた固体撮像装置を提供することができる。
【発明を実施するための最良の形態】
【００２２】
次に、添付図面を参照しながら本発明の最良の実施例を説明する。
【実施例１】
【００２３】
まず、図１及び図２を参照しながら本実施例の固体撮像装置の構成を説明する。なお、図１には、固体撮像装置の上面図が示され、図２には、図１に示すＡＡ線で切断した切断面の形状が示されている。
【００２４】
本実施例の固体撮像装置は、図２に示すように、ＣＣＤ１６１からなる撮像素子を搭載した基板１０６と、この基板１０６に搭載されてＣＣＤ１６１に被写体像を結像するレンズ１１３を保持するレンズユニット１０１とを有している。レンズユニット１０１は、ＣＣＤ１６１を包囲するように基板１０６に固定されるホルダ１１１と、レンズ１１３を保持しレンズの光軸方向に移動自在となるようにホルダ１１１に係合するレンズホルダ１１２と、このレンズホルダ１１２を、第１の位置及びこの第１の位置から光軸方向へ所定距離だけ移動した第２の位置に駆動する電磁駆動手段とを備えている。
【００２５】
なお、レンズホルダ１１２は、中空の略円筒形状であって、その中心軸上にレンズ１１３をレンズキャップ１１４によって装着している。またレンズホルダ１１２には円筒状の案内溝１１２ａが形成してあって、この案内溝１１２ａにホルダ１１１の上部を形成する円筒部１１１ｊが係合し、光軸方向へ移動自在になっている。また第１の位置は、通常撮像領域に位置する被写体像を撮像する通常撮像位置であって、第２の位置は、近距離撮像領域に位置する被写体像を撮像するマクロ撮像位置に設定してある。
【００２６】
さて、電磁駆動手段は、電磁石１０３と、この電磁石１０３への通電によって磁化される第１の磁性体１３３、１３４と、この第１の磁性体１３３、１３４に対して光軸方向に対向する第２の磁性体１０４と、第１の磁性体１３３、１３４と第２の磁性体１０４との間においてレンズホルダ１１２の外周に沿って設けられた永久磁石１０２とを備えている。以下説明を容易にするため、永久磁石１０２、電磁石１０３、第１の磁性体１３３、１３４及び第２の磁性体１０４の順に説明する。
【００２７】
永久磁石１０２は、この内周に装着した磁性体からなるリング部材１２１を介してマグネットホルダ１１５に装着されている。なおマグネットホルダ１１５は、レンズホルダ１１２の外周部分に螺合している。また永久磁石１０２は、円周方向に２分割した領域がＮ極とＳ極となるように磁化してある。すなわち図３に示すように、まず電磁石等の着磁装置１９２によってリング部材を直径方向に着磁すると、円周方向を２分割した領域毎に外周側と内周側とに異なる磁極が着磁される。次にこの着磁した永久磁石１０２の内側に磁性体のリング部材１２１を装着すると、内周側に閉磁路（図示せず）が形成され、永久磁石１０２の内側の磁束の漏れを防止できる。また、永久磁石１０２とリング部材１２１との接続は、永久磁石１０２の一部分、本実施例では内周側の角部に切欠き部が形成され、この切欠き部にリング部材１２１が嵌め込まれている。すなわち、図８及び図１０に示すようにリング部材１２１の外周下側に永久磁石１０２の一部が配置されている。
【００２８】
一方、電磁石１０３は、図１および図２に示すように、中空の略円筒のボビン１３１と、このボビン１３１に巻設した電気コイル１３２とを備えており、電気コイル１３２は、基板１０６に設けられた端子部１３２ａを介して切り換え手段（図示せず）に接続されている。そしてボビン１３１の内周には、矩形断面形状の細長い一対の第１の磁性体１３３、１３４の一端部が挿入されており、それぞれの他端部はレンズ１１３の光軸を中心とする半円弧状に延伸し、ホルダ１１１上に配置されている。
【００２９】
図４、５を参照しながら第１の磁性体１３３、１３４のホルダ１１１上への配置についてより詳細に説明する。なお、図４及び図５には、固体撮像装置を図１に示すＢＢ線で切断した切断面の形状が示され、特に、レンズホルダ１１２を前述した第１の位置と第２の位置に移動させた状態が示されている。図４及び図５に示すように、ホルダ１１１の外周には水平フランジ部１１１ａが形成されており、この水平フランジ部１１１ａの上部には光軸を中心とする複数の位置決め部１１１ｅ、１１１ｆが形成されている。そして位置決め部１１１ｅ、１１１ｆの外周には、永久磁石１０２の円周上２分割されたＮ極及びＳ極領域にそれぞれ下方から対向する位置において、溝１１１ｇ、１１１ｈが形成してある。そして溝１１１ｇ、１１１ｈには、第１の磁性体１３３、１３４が挿入されており、位置決め部１１１ｅ、１１１ｆ及び溝１１１ｇ、１１１ｈによってホルダ１１１に位置決めされる。
【００３０】
次に第２の磁性体１０４について説明する。図１に示すように第２の磁性体１０４は、中心に開口穴を有する円板形状であって、この円板の外周には外側に突出する３つの突起部１０４ｂが円周方向に沿って等間隔に設けてある。一方ホルダ１１１の水平フランジ部１１１ａの外周部には円筒部１１１ｂが形成してあり、この円筒部１１１ｂには第１の磁性体１３３、１３４をホルダ１１１上に配置するための開口１１１ｉが形成されている。また円筒部１１１ｂの上端面１１１ｃには、円周方向に沿って等間隔の３個所において、円周方向に沿って光軸方向の高さが変化する斜面部１１１ｄがそれぞれ形成してある。そして第２の磁性体１０４は、その３つの突起部１０４ｂが斜面部１１１ｄにそれぞれ当接するようにしてホルダ１１１の円筒部１１１ｂに装着されている。したがって第２の磁性体１０４をホルダ１１１の円筒部１１１ｂに組み付ける際に、この第２の磁性体１０４を円周方向に回転させることによって、第２の磁性体１０４の光軸方向の高さが変化するので、第２の磁性体１０４の光軸方向位置、すなわちレンズホルダ１１２のマクロ撮像位置の初期設定を行うことができる。
【００３１】
次に永久磁石１０２が取り付けられるマグネットホルダ１１５について説明する。マグネットホルダ１１５は、図６に示すようにリング形状をなし、レンズホルダ１１２の外周部分と螺合している。またマグネットホルダ１１５の外周部分には、永久磁石１０２を保持するための第１受け部１０（第１接続部）と第２受け部２０（第２接続部）とが形成されている。第１受け部１０は、マグネットホルダ１１５の外周部分に一対、互いが対向するように設けられている。また第２受け部２０は、マグネットホルダ１１５の外周部分に３対、対をなす第２受け部２０同士がそれぞれ対向するように設けられている。
【００３２】
第１受け部１０には、図７（Ｂ）に示すように第１載置面１１と、この第１載置面１１よりも撮像対象側、すなわち撮像光を入光する入光側に近い位置に配置された第２載置面１２とが設けられている。図８に示されるように第１載置面１１には永久磁石１０２が配置され、第２載置面１２にはリング部材１２１が配置される。また、第１載置面１１、第２載置面１２には図８に示すように凹部１３が形成されており、この凹部１３に接着剤を塗布してリング部材１２１、永久磁石１０２を載置面に接着する。なお、図７（Ｂ）には図７（Ａ）に示すＣＣ線で切断した断面の形状が示されている。
【００３３】
また、第２受け部２０には、図９（Ｂ）に示すように第２載置面１２が形成されている。この第２載置面１２上にリング部材１２１が配置される。またリング部材１２１と接続している永久磁石１０２は、図１０に示すように第２受け部２０の側面（外側）に配置される。なお、図９（Ｂ）には図９（Ａ）に示すＤＤ線で切断した断面の形状が示されている。
【００３４】
図７に示すように第１受け部１０は、第２載置面１２の外側（外周）に第１載置面１１を設けた構成であるため、第１受け部１０が含まれる切断面で切断した断面の長さは、第２受け部２０が含まれる切断面で切断した断面の長さよりも長い。これはホルダ１１１上に配置された第１の磁性体１３３、１３４を避けるための構造である。図１１に示されるようにホルダ１１１上には光軸を中心とする半円弧状に延伸された第１の磁性体１３３、１３４が配置されている。この第１の磁性体１３３、１３４と接触しないようにマグネットホルダ１１５を配置するために、第２受け部２０の径を第１受け部１０の径よりも小さく形成している（図１１参照）。また、第１受け部１０は、図１１に示されるように第１の磁性体１３３、１３４をホルダ１１１上に配置するための開口１１１ｉが形成された側に配置される。開口１１１ｉが形成された側には第１の磁性体１３３、１３４が配置されていないため、径を大きくしても第１の磁性体１３３、１３４と接触することがない。
【００３５】
さらに本実施例では３対の第２受け部２０が所定の間隔をおいて配置されている。これは図１１に示されるように第１の磁性体１３３、１３４をホルダ１１１上に位置決めするために設けられた位置決め部１１１ｅ、１１１ｆを避けて第２受け部２０を配置するためにこのような間隔で形成されている。
【００３６】
ここで、マグネットホルダ１１５への永久磁石１０２の接着方法を説明する。本実施例では永久磁石１０２としてプラスチックマグネットを使用している。プラスチックマグネットは、形成時にバインダとして例えばナイロン樹脂を使用しているため、一般的な接着剤では粘着力が弱く十分な接着ができない。そこで本実施例では接着剤として紫外線硬化型の接着剤を使用する。この紫外線硬化型の接着剤を上述した凹部１３に塗布し、外部から紫外線を含む光を照射して接着剤を硬化させる。このとき、凹部１３に塗布された接着剤に光が複数方向から十分に当たるようにマグネットホルダ１１５を透明な樹脂としている。
【００３７】
次に上述した固体撮像装置の作用を説明する。電磁石１０３に電流を流し、それぞれの一端部がボビン１３１内に挿入された一対の第１の磁性体１３３、１３４がそれぞれＮ極とＳ極とに磁化すると、一対の第１の磁性体１３３、１３４と、この第１の磁性体１３３、１３４にそれぞれ対向する永久磁石１０２のＮ極とＳ極とが同じ磁極である場合には、図４に示すように、永久磁石１０２を上方に反発させて第２の磁性体１０４に当接させる。そしてこの状態で電磁石１０３に流れる電流を切ると、永久磁石１０２自体の磁力によって第２の磁性体１０４の当接面に吸着保持される。このようにしてレンズホルダ１１２がマクロ撮像位置に駆動保持される。
【００３８】
なお、本実施例においては、通常撮像位置におけるレンズホルダ１１２の保持力がマクロ撮像位置におけるレンズホルダ１１２の保持力よりも大きくなっている。すなわち、永久磁石１０２と一対の第１の磁性体１３３、１３４との間に作用する吸着力が、永久磁石１０２と第２の磁性体１０４との間に作用する吸着力よりも大きくなっている。これは、例えば永久磁石１０２と一対の第１の磁性体１３３、１３４との接触面積を永久磁石１０２と第２の磁性体１０４との接触面積よりも広くすることで実現できる。
【００３９】
これにより、マクロ撮像位置よりも使用頻度の高い通常撮像位置で被写体像を撮像する際に、レンズホルダ１１２が通常撮像位置から不用意に位置ずれして被写体像が正確に撮像できなくなることを防止できる。なお、マクロ撮像位置の使用頻度が通常撮像位置の使用頻度よりも高い場合には、マクロ撮像位置におけるレンズホルダ１１２の保持力を通常撮像位置におけるレンズホルダ１１２の保持力よりも大きくすればよい。
【００４０】
次に切り換え手段（図示せず）により電磁石１０３の電流の方向を切り換えると、一対の第１の磁性体１３３、１３４が、それぞれ対向する永久磁石１０２のＮ極とＳ極と異なる磁極となり、この永久磁石１０２を下方に吸引して、図５に示すように第２の磁性体１０４から引き離し、第１の磁性体１３３、１３４に吸着させる。そしてこの状態で電磁石１０３の電流を切ると、永久磁石１０２自体の磁力によって第２の磁性体１０４の当接面に吸着保持される。このようにしてレンズホルダ１１２が通常撮像位置に駆動保持される。
【００４１】
また、本実施例においては、マグネットホルダ１１５に永久磁石１０２とリング部材１２１とを取り付けるための第１受け部１０と第２受け部２０とを設けている。永久磁石１０２は、図５に示す下側にある時には、第１の磁性体１３３、１３４に下から支えられているため応力が集中することがない。また図４に示す上側にある時には、第２の磁性体１０４に吸着保持されるため、この場合も応力が集中する不具合を生じない。しかしながら、マグネットホルダ１１５を上下方向に移動させた際に、１対の第１受け部１０だけで支えた場合、２点支持となるため応力がかかり、永久磁石１０２にひびや割れが生じてしまう。このため本実施例では、一対の第１受け部１０の他に第２受け部２０を３対設けて応力の集中を防止し、永久磁石１０２にひびや割れが生じないようにしている。第２受け部２０は、永久磁石１０２を直接には支持していないが、リング部材１２１を第２載置面１２上に載せて保持しており、この保持したリング部材１２１が永久磁石１０２の内周に嵌め込まれているため永久磁石１０２を確実に支持することができる。
【００４２】
また、上述のようにプラスチックマグネットからなる永久磁石１０２は、バインダとしてナイロンを使用しているため接着剤の粘着力が効きにくく、弱い粘着力で第１載置面１１に接着されている。このため、マグネットホルダ１１５の上下方向への移動による衝撃で、第１載置面１１との接着が外れてしまうことがある。本実施例では、図８に示されるように永久磁石１０２に切欠きを設けて、この切欠き部分に金属等の磁性体からなるリング部材１２１を嵌め込んで接着した構成を取っている。すなわち、リング部材１２１が、リング部材１２１の下側に配置された永久磁石１０２の抑えとして機能する。永久磁石１０２とマグネットホルダ１１５の第１載置面１１との接着がマグネットホルダ１１５の上下方向への移動に伴って外れてしまっても、金属等の磁性体からなるリング部材１２１が第２載置面１２に確実に接着されているため、リング部材１２１が永久磁石１０２の抑え手段として機能し、永久磁石１０２のマグネットホルダ１１５からの脱落を防止することができる。
【００４３】
このように本実施例は、切り替えスイッチ等の切り替え手段（図示せず）によって、電磁石１０３に流す電流の方向を変更することにより、マクロ撮像位置と通常撮像位置とに、レンズホルダ１１２を正確かつ確実に駆動することができる。また一旦レンズホルダ１１２をマクロ撮像位置と通常撮像位置とに駆動すれば、電流を切っても上述したように永久磁石１０２自体の磁力によってそれぞれの位置に保持されるので、大幅な省電力化が可能になる。
【００４４】
また、電磁石１０３への通電によって互いに異なる磁極に磁化される１対の第１の磁性体１３３、１３４が永久磁石１０２の異なる磁極にそれぞれ光軸方向に対向しており、この永久磁石の両方の磁極に対して同時に吸引力及び反発力が発生するので、永久磁石の駆動力が増加し、より確実に永久磁石を駆動できる。
【００４５】
また、第１の磁性体１３３、１３４が円弧状であるので、リング形状の永久磁石１０２の形状にあわせて配置することにより、第１の磁性体１３３、１３４と永久磁石１０２との対向する面積が増加し、永久磁石の駆動力を増加できる。また、この第１の磁性体１３３、１３４をレンズホルダ１１２及びホルダ１１１の外周に沿って配置可能となるので、固体撮像装置を小型化できる。
【００４６】
また、ホルダ１１１には第１の磁性体１３３、１３４を位置決めする位置決め部１１１ｅ、１１１ｆが形成されているので、この第１の磁性体１３３、１３４の固定位置がずれることを防止でき、第１の磁性体１３３、１３４の位置ずれに起因する永久磁石１０２の駆動力の低下を防止可能となる。
【００４７】
また、第２の磁性体１０４が斜面部１１１ｄに沿って回転することよってホルダ１１１に対して光軸方向へ移動可能であるので、この第２の磁性体の光軸方向位置を調整可能であり、各部品の寸法公差等によらずマクロ撮像位置を容易に修正できる。
【００４８】
また、永久磁石１０２がレンズ１１３の光軸を中心とするリング形状であるので、重量バランスが良く、レンズ１１３の光軸が傾くことなくレンズホルダ１１２を安定して駆動できる。
【００４９】
また、円周及び半径方向をそれぞれ２分した領域に異なる磁極を有する永久磁石１０２の内周に磁性体からなるリング部材１２１が設けられているので、内周側に閉磁路が形成されて、永久磁石１０２の内側での磁束の漏れを防止でき、永久磁石をより確実に駆動できる。
【００５０】
また、レンズホルダ１１２には円筒部１１１ｊに光軸方向に係合する案内溝１１２ａが形成されているので、レンズホルダ１１２を案内するための専用の機構を用いることなく、簡単な構成でレンズホルダの光軸方向への移動を案内できる。また、この案内溝と円筒部との係合により、外部からの不必要な光の侵入を防止できる。
【００５１】
また、マグネットホルダ１１５がレンズホルダ１１２に光軸方向へ沿って移動可能に螺合しているので、このレンズホルダまたはマグネットホルダを回転させることにより、このレンズホルダに対する永久磁石１０２の光軸方向の位置、すなわち固体撮像装置のピントを調整できる。
【００５２】
なお図２に示すように、第２の磁性体１０４の永久磁石１０２に対向する面には、所定の高さを有する半球形状の突起部１０４ａが形成してあり、この永久磁石は、この突起部の頂部を介して、この第２の磁性体１０４に当接する。したがって第２の磁性体１０４への吸着力が過大になることを防止でき、永久磁石１０２を反対方向に確実に引き離すことができる。なお同様な突起部を、第１の磁性体１３３、１３４の吸着面にも形成すると、永久磁石１０２を、この第１の磁性体１３３、１３４から確実に引き離すことができるようになる。
【００５３】
なお、本実施例において、永久磁石１０２の内周に磁性体からなるリング部材１２１が設けられているが、永久磁石の内周側の磁極を相殺する手段はこれに限らず、適宜変更可能である。例えば、マグネットホルダ１１５を磁性体で形成し、永久磁石の内周に沿って配置しても良い。
【００５４】
また、本実施例において、永久磁石として円周方向及び半径方向をそれぞれ２分した領域に異なる磁極を有する永久磁石１０２を用いたが、永久磁石はこれに限るものではなく、例えば円周を４分した領域に異なる磁極を有する永久磁石を用いても良い。
【００５５】
また、本実施例において、第１の磁性体１３３、１３４を位置決めする位置決め部１１１ｅ、１１１ｆの個数を２個としたが、位置決め部の個数は２個以上でも良い。
【００５６】
なお、各実施例において、第１及び第２の位置をそれぞれ通常撮像位置及びマクロ撮像位置としたが、第１及び第２の位置はこれに限るものではない。
【００５７】
また、永久磁石１０２はリング形状のものに限らず、マグネットホルダ１１５の外周に、２個の磁石を同一磁極が外側に位置するように、それぞれ１８０度間隔に設ける構成であってもよい。またリング形状の代わりにＵ字形状磁石を使用することもできる。
【００５８】
また、本発明は、撮像素子１６１として上述したようなＣＣＤ素子を使用する場合に限らず、例えばＣＭＯＳ素子や通常のフィルムを使用する場合にも容易に適用することができる。
【図面の簡単な説明】
【００５９】
【図１】固体撮像装置の上面図である。
【図２】図１に示すＡＡ線で切断した固体撮像装置の断面を示す図である。
【図３】永久磁石の着磁方法を説明するための図である。
【図４】図１に示すＢＢ線で切断した固体撮像装置の断面を示す図であり、永久磁石が上側にある状態を示す図である。
【図５】図１に示すＢＢ線で切断した固体撮像装置の断面を示す図であり、永久磁石が下側にある状態を示す図である。
【図６】マグネットホルダの上面図である。
【図７】Ａはマグネットホルダの上面図であり、ＢはＡに示すＣＣ線で切断した断面の形状を示す図である。
【図８】第１受け部１０の部分拡大図である。
【図９】Ａはマグネットホルダの上面図であり、ＢはＡに示すＤＤ線で切断した断面の形状を示す図である。
【図１０】第２受け部の部分拡大図である。
【図１１】マグネットホルダ１１５と、この周囲に配置される第１の磁性体１３３、１３４、及び位置決め部１１１ｅ，１１１ｆの位置関係を示す図である。
【図１２】従来例によるレンズの駆動装置の断面図である。
【符号の説明】
【００６０】
１０  第１受け部（第１接続部）  １１  第１載置面
１２  第２載置面                １３  凹部
２０  第２受け部（第２接続部）  １０１  レンズユニット
１０２  永久磁石                １０３  電磁石
１０６  基板                    １１１  ホルダ
１１２  レンズホルダ            １２１  リング部材
１１３  レンズ                  １１５  マグネットホルダ
１３２  電気コイル              １３３、１３４  第１の磁性体
１０４  第２の磁性体            １０４ａ  突起部
１０４ｂ  突起部                １６１  ＣＣＤ（撮像素子）
【図１】
2005148535.tif 000003
【図２】
2005148535.tif 000004
【図３】
2005148535.tif 000005
【図４】
2005148535.tif 000006
【図５】
2005148535.tif 000007
【図６】
2005148535.tif 000008
【図７】
2005148535.tif 000009
【図８】
2005148535.tif 000010
【図９】
2005148535.tif 000011
【図１０】
2005148535.tif 000012
【図１１】
2005148535.tif 000013
【図１２】
2005148535.tif 000014